(57)【要約】【課題】テープ型媒体を用いたカムコーダにおいて再生特のアクセス性を改善する。【解決手段】撮影した動画像と、動画像の記録開始から記録終了までの期間の動画の内容を代表して表す静止画である代表画像と、動画像の撮影順序を表す撮影順序情報と、動画像のテープ型記録媒体への記録開始位置を表す記録開始位置情報とをテープ型記録媒体に記録する記録部１と、テープ型記録媒体から読み出された代表画像と、撮影順序情報と記録開始位置情報の少なくとも１つとを関連付けて印刷することにより第１の印刷物を作成すると共に、代表画像と撮影順序情報と記録開始位置情報の少なくとも１つと所定の枠とを印刷することにより第２の印刷物を作成する印刷部２４と、第２の印刷物を撮像部５で撮影し、撮影された第２の印刷物の画像情報に基づいて動画像を再生順序に従って再生する再生部１とを備える。【選択図】　　　図１
2004140603.tif 000002
【特許請求の範囲】
【請求項１】
動画像を撮影手段により撮影してテープ型記録媒体に記録すると共に、該テープ型記録媒体から動画像を再生する画像記録再生装置において、
撮影した動画像と、該動画像の記録開始から記録終了までの期間の動画の内容を代表して表す静止画である代表画像と、前記動画像の撮影順序を表す撮影順序情報と、前記動画像の前記テープ型記録媒体への記録開始位置を表す記録開始位置情報とを前記テープ型記録媒体に記録する記録手段と、
前記テープ型記録媒体に記録されている前記代表画像と、前記撮影順序情報と、前記記録開始位置情報とを前記テープ型記録媒体から読み出す読み出し手段と、
該読み出し手段により読み出された前記代表画像と、前記撮影順序情報と前記記録開始位置情報の少なくとも１つとを関連付けて印刷することにより第１の印刷物を作成すると共に、前記代表画像と前記撮影順序情報と前記記録開始位置情報の少なくとも１つと所定の枠とを印刷することにより第２の印刷物を作成する印刷手段と、
前記所定の枠内に前記動画像の再生順序が記入された前記第２の印刷物を前記撮像手段で撮影し、撮影された前記第２の印刷物の画像情報に基づいて前記動画像を前記再生順序に従って再生する再生手段とを備えることを特徴とする画像記録再生装置。
【発明の詳細な説明】
【０００１】
【発明の属する技術分野】
本発明は画像記録再生技術に関し、特に磁気テープやディスク媒体、メモリーカード等に動画像を記録するディジタルビデオカムコーダ等における画像記録再生技術に関する。
【０００２】
【従来の技術】
従来より動画像を撮影して磁気テープカセットやディスク型記録媒体、或いはカード型記録媒体に記録するディジタルビデオカムコーダが普及している。これらを用いて撮影した動画像は失敗シーンや冗長な場面が多く含まれるため、鑑賞する前に編集を行うことが必要とされる。
【０００３】
磁気テープを用いたカムコーダで撮影した場合は、シーケンシャルアクセスであるため本質的にアクセス性が悪く（所望のシーンにすぐにアクセスできない）、特に再生時のアクセス性改善や編集が重要とされる。磁気テープ型カムコーダで撮影された素材を編集する場合は、通常シリアル通信インタフェースなどを介してパーソナルコンピュータ（以下、ＰＣと称す）にビデオ素材を取り込んだ後、ＰＣ上の編集ソフトウェアを用いて編集が行われる。
【０００４】
一方、近年アクセス性に優れたＤＶＤ−ＲＷ、ＤＶＤ−ＲＡＭなどの記録可能なディスク媒体を用い、主としてテレビ放送録画を行うための据え置き型のディスク型動画レコーダが急速に普及しつつあり、コンパクトなメディアの収納性の良さも消費者に好まれている。
【０００５】
【発明が解決しようとする課題】
しかしながらテープ型カムコーダの場合、ＩＥＥＥ１３９４などのシリアル通信インタフェースを有するＰＣは、高価である、ＰＣでの編集作業が難しい、等の理由で実際にビデオ編集を行っているカムコーダユーザーは極めて少数である。
【０００６】
また、据え置き型のディスク型動画レコーダは、放送録画機能のほかに、ＤＶ端子を装備し、このＤＶ端子を介してＤＶＤ−ＲＷなどの媒体にコピーする機能を有するＶＴＲがあるものの、丸ごとコピーした後で編集する機能が貧弱であり、ディスク型レコーダ上で実用的な編集を行うことは困難である。
【０００７】
一方、通常多くのカムコーダユーザーが必要とする編集は、ワイプやディゾルブなどの画面効果挿入などよりも、もっと単純な、失敗シーンや冗長なシーンのカットやショットの並べ替え程度であり、このような基本的な編集機能を簡単な操作で行えることが要望されている。
【０００８】
従って、本発明は上述した課題に鑑みてなされたものであり、その目的は、テープ型媒体を用いたカムコーダにおいて再生特のアクセス性を改善することである。
【０００９】
また、本発明の他の目的は、テープ型媒体を用いたカムコーダおいて、ＰＣを必要とすることなく極めて簡単で直感的な操作でビデオ編集をできるようにすることである。
【００１０】
【課題を解決するための手段】
この課題を解決するために、本発明は先に示した請求項１の構成を備えるが、本願明細書は次のような発明をも開示するものである。即ち、
（発明１）　動画像を撮影手段により撮影してテープ型記録媒体に記録すると共に、該テープ型記録媒体から動画像を再生する画像記録再生装置において、
撮影した動画像と、該動画像の記録開始から記録終了までの期間の動画の内容を代表して表す静止画である代表画像と、前記動画像の撮影順序を表す撮影順序情報と、前記動画像の前記テープ型記録媒体への記録開始位置を表す記録開始位置情報とを前記テープ型記録媒体に記録する記録手段と、
前記テープ型記録媒体に記録されている前記代表画像と、前記撮影順序情報と、前記記録開始位置情報とを前記テープ型記録媒体から読み出す読み出し手段と、
該読み出し手段により読み出された前記代表画像と、前記撮影順序情報と前記記録開始位置情報の少なくとも１つとを関連付けて印刷することにより第１の印刷物を作成すると共に、前記代表画像と前記撮影順序情報と前記記録開始位置情報の少なくとも１つと所定の枠とを印刷することにより第２の印刷物を作成する印刷手段と、
前記所定の枠内に前記動画像の再生順序が記入された前記第２の印刷物を前記撮像手段で撮影し、撮影された前記第２の印刷物の画像情報に基づいて前記動画像を前記再生順序に従って再生する再生手段とを備えることを特徴とする画像記録再生装置。
【００１１】
（発明２）　前記再生手段によって前記再生順序に従って再生された動画像をその順序で記録する編集記録手段をさらに備えることを特徴とする発明１に記載の画像記録再生装置。
【００１２】
（発明３）　前記代表画像は、各動画像の先頭の画像であることを特徴とする発明１に記載の画像記録再生装置。
【００１３】
（発明４）　前記記録開始位置情報は、タイムコードであることを特徴とする発明１に記載の画像記録再生装置。
【００１４】
（発明５）　動画像を撮影手段により撮影してテープ型記録媒体に記録すると共に、該テープ型記録媒体から動画像を再生する画像記録再生方法において、
撮影した動画像と、該動画像の記録開始から記録終了までの期間の動画の内容を代表して表す静止画である代表画像と、前記動画像の撮影順序を表す撮影順序情報と、前記動画像の前記テープ型記録媒体への記録開始位置を表す記録開始位置情報とを前記テープ型記録媒体に記録する記録ステップと、
前記テープ型記録媒体に記録されている前記代表画像と、前記撮影順序情報と、前記記録開始位置情報とを前記テープ型記録媒体から読み出す読み出しステップと、
該読み出しステップにおいて読み出された前記代表画像と、前記撮影順序情報と前記記録開始位置情報の少なくとも１つとを関連付けて印刷することにより第１の印刷物を作成すると共に、前記代表画像と前記撮影順序情報と前記記録開始位置情報の少なくとも１つと所定の枠とを印刷することにより第２の印刷物を作成する印刷ステップと、
前記所定の枠内に前記動画像の再生順序が記入された前記第２の印刷物を前記撮像手段で撮影し、撮影された前記第２の印刷物の画像情報に基づいて前記動画像を前記再生順序に従って再生する再生ステップとを備えることを特徴とする画像記録再生方法。
【００１５】
（発明６）　前記再生ステップにおいて前記再生順序に従って再生された動画像をその順序で記録する編集記録ステップをさらに備えることを特徴とする発明５に記載の画像記録再生方法。
【００１６】
（発明７）　前記代表画像は、各動画像の先頭の画像であることを特徴とする発明５に記載の画像記録再生方法。
【００１７】
（発明８）　前記記録開始位置情報は、タイムコードであることを特徴とする発明５に記載の画像記録再生方法。
【００１８】
（発明９）　発明５乃至８のいずれか１つに記載の画像記録再生方法をコンピュータに実行させることを特徴とするプログラム。
【００１９】
（発明１０）　発明９に記載のプログラムをコンピュータ読み取り可能に記憶したことを特徴とする記憶媒体。
【００２０】
【発明の実施の形態】
以下、本発明の好適な実施形態について、添付図面を参照して詳細に説明する。
【００２１】
（第１の実施形態）
図１は本発明の第１の実施形態に係わるテープ型記録媒体を用いるディジタルカムコーダの構成を示すブロック図である。
【００２２】
ドライブユニット１はメカ機構とサーボ機構、ヘッド等から成り、主制御部２によって、磁気テープ３とともに制御される。主制御部２はドライブユニット１やシステム全体を制御するためのシステム制御部２１の他に、動画に関する処理を行う動画処理部２２、静止画に関する処理を行うための静止画処理部２３、印刷を行うための印刷処理部２４、ユーザの操作をサポートする表示処理部２５、ユーザーの指示に従ってテープを自動再生するスキップ再生処理部２８を有する。主制御部は図２に示すように内部にＣＰＵ４１とＲＯＭ４２、ＲＡＭ４３を有し、これらの処理は内部のＲＯＭ４２にプログラムとして格納されている。
【００２３】
システム制御部２１は図３に示すようにドライブ制御部２０１、信号処理制御部２０２、入力処理部２０３、タイムコードカウンタ２０４、ショットＮＯ．カウンタ２０５、再生ショットカウンタ２０６、Ｔｓｔレジスタ２０７、Ｔｅｎｄレジスタ２０８、タイムコード検出部２０９などから構成されている。
【００２４】
動画処理部２２は図４に示すように、空間フィルタ２２１、マルチプレクサ２２２、デマルチプレクサ２２３、ＤＶ圧縮伸長部２２４等から構成されている。
【００２５】
静止画処理部２３は図５に示すように代表画像抽出部２３１、ＪＰＥＧ圧縮伸長部２３２、サムネール作成部２３３等から構成されている。
【００２６】
まず、撮影対象の動画の記録再生過程を説明する。
【００２７】
被写体からの反射光は光学系４を通して撮像素子５に投影され、電気信号に変換される。
【００２８】
撮像素子５は標準ＴＶ信号の解像度に対する画素数（水平７２０，垂直４８０）以上の画素数を有するものとする。
【００２９】
入力部７の“撮影開始”ボタン７１が押されると、撮像素子５からはＴＶ信号の１フレーム期間の全ての画素が順次走査で読み出され、撮像系処理回路６にてディジタル化された輝度信号と色差信号が生成される。
【００３０】
図６は撮像系処理回路の内部の詳細ブロック図である。撮像素子５から読み出された撮像信号はＣＤＳ（相関二重サンプル）回路６１にてノイズを除去され、ＡＧＣ（自動利得）回路６２にて自動的にゲイン調整された後Ａ／Ｄ変換器６３にてディジタル映像信号となる。続いてＹ−Ｃ分離回路６４により輝度信号と色差信号に分離され、カメラ信号処理部６５にて輪郭強調、ホワイトバランス、ガンマ補正などの処理を施されて前記のディジタル化された輝度信号（Ｙ）と色差信号（Ｐｒ、Ｐｂ）が生成される。
【００３１】
輝度信号（Ｙ）と色差信号（Ｐｒ、Ｐｂ）はそれぞれ、主制御部２の動画処理部２２（以下、内部の構成は図４を参照）の空間フィルタフィルタ２２１により図７に示すごとく帯域制限される。即ち、ＤＶ規格で標準動画を記録する場合、折り返しノイズを考慮して輝度信号は水平６．７５ＭＨｚ、垂直２４０本に（同図の斜線部）、色差信号はＰｒとＰｂが点順次化されているため水平は更に３．３７５ＭＨｚに帯域制限される。なお、色差信号についての説明は省略する。
【００３２】
帯域制限された、輝度信号と点順次色差信号は動画処理部２２のマルチプレクサ２２２にて多重化され、４：２：２フォーマットのＹ／Ｐｒ／Ｐｂデータが生成される。このＹ／Ｐｒ／Ｐｂデータはバッファメモリ８に蓄積された後、主制御部の動画処理部２２のＤＶ圧縮伸長部２２４にて標準のＤＶフォーマットに適用されるＤＣＴを用いた圧縮アルゴリズムによって圧縮され、最後に記録信号処理回路９にて同期符号やエラー訂正符号の付加、シャフリング、変調などが行われてドライブユニット１を介して磁気テープ３上の映像記録領域に記録される。なお、音声信号の記録については本発明とは直接関係がないので説明を省略する。
【００３３】
このようにして“撮影終了”ボタン７２が押されるまで動画が記録される。なお、“撮影開始”ボタンの再押下により終了するようにしてもよい。
【００３４】
なお、後述の方法で生成したタイムコードが同時にテープ上の所定の領域（例えば不図示のサブコード領域）に記録される。
【００３５】
再生は上記と逆の処理を行えば良いので説明は省略する。
【００３６】
次に、印刷用の静止画と時間情報の記録過程を説明する。
【００３７】
最初に“撮影開始”ボタンが押され、サーボ機構が安定して上記の動画記録が開始すると、主制御部２のシステム制御部２１のタイムコードカウンタ２０４とショットＮＯ．カウンタ２０５がカウント開始される（ショットＮＯ．カウンタは１カウントのみ）とともに、そのタイムコードカウンタ２０４の初期値（この場合“０”）とショットＮＯ．（最初は“１“）がシステム上の所定の領域、例えば内蔵フラッシュメモリ（途中で電源を落としても内容が消えないように不揮発性）１１上の所定領域に書き込まれる。併行して主制御部２の静止画処理部２３（以下、内部の構成は図５を参照）の代表画像抽出部２３１により最初のフレーム画像が代表静止画として抽出され、続いてＪＰＥＧ圧縮伸長部２３２により圧縮された後、サムネール作成部２３３により縮小されたサムネール画像として生成され、前記のシステム上の所定の領域に追記される。
【００３８】
また、上記の撮影中にフレーム単位でカウントアップされているタイムコードは、前述したように動画記録と同時にテープ上の所定の領域、例えば不図示のサブコード領域にフレーム毎に記録される。
【００３９】
以下に続くショットでも同様である。
【００４０】
“撮影終了”ボタン７２の押下によってタイムコードカウンタ２０４は停止する（停止値を“ｎ”とする）。
【００４１】
再び“撮影開始”ボタン７１が押下されると、タイムコードカウンタ２０４は上記の停止値からカウントアップを再開し、カウントアップ初期値“ｎ＋１”とその時の最初のフレーム画像のサムネール画像を、上記と同様にしてシステム上の所定の領域に書き加える。
【００４２】
また、ショットＮＯ．カウンタ２０５も１カウントし、ショットＮＯ．“２”が所定領域に書き込まれる。
【００４３】
以上を繰り返すことにより、“撮影開始”ボタンを押下するごとに各ショットの代表静止画としての最初のフレーム画像のサムネール画像とともに、各ショットのテープ上の開始位置を表わすタイムコードと、ショットＮＯ．とがシステム上の所定の領域、例えば内蔵フラッシュメモリ１１上の所定領域に追記されて行く。
【００４４】
結果を図８に示す。なお、実際の数値は後述のスキップ再生の具体例に合わせてある。
【００４５】
撮影終了後に、例えば“一括記録”ボタン押下（不図示）により、上記のサムネール画像と、各ショットのテープ上の開始位置を表わすタイムコードと、ショットＮＯ．とが、テープ上の所定の領域に、例えば先頭領域にまとめて記録される。
【００４６】
次に、サムネール画像とタイムコード情報の印刷過程について説明する。
【００４７】
まず、ユーザーの早送り操作によりテープが巻き戻される。ユーザーが入力部７の“印刷”ボタン７３を押下すると、主制御部２のシステム制御部２１（以下、内部の構成は図３を参照）の入力処理部２０３がこれを検出してドライブユニット１を制御し、テープ３上の先頭領域が再生され、サムネール画像データと、各ショットのテープ上の開始位置を表わすタイムコードと、それぞれに対応したショットＮＯ．がＲＡＭ４３に読み込まれる。一方、主制御部２の印刷処理部２４（以下、内部の構成は図９を参照）が起動され、その中の印刷条件設定部２４１が表示処理部２５、出力回路１４を介して表示部１５に“サムネール一覧を印刷しますか？”のメッセージを表示する。ユーザーが“ＯＫ”ボタン７５を押下すると印刷処理部２４のデータ伸長部２４２により、ＪＰＥＧ圧縮されているサムネールデータが順次伸長され、元の縮小されたサムネール画像に復号される。
【００４８】
このサムネール画像はＹ／Ｐｒ／Ｐｂ信号であるため、マトリクス変換部２４３によりプリンタ１３に適したＲ，Ｇ，Ｂ信号に変換される。次に、ラスタライザ２４４によりＲ，Ｇ，Ｂ変換された画像データは、Ｒ，Ｇ，Ｂ毎にラスタ化された多階調（例えば６４階調）のビットイメージデータとなり、続く色補正処理部２４５によりインクに対応した印刷用のＹ，Ｍ，Ｃ，Ｋの多階調ビットイメージデータに変換される。この多階調ビットイメージデータは各色毎に、ハーフトーン処理部２４６によりディザ法や誤差拡散法などにて２値化されたビットマップデータに変換される。ハーフトーン処理が終わると、データ送信部２４７により２値化されたビットマップデータとなったサムネール画像データは、キャラクタデータであるショットＮＯ．及びタイムコード情報とともに所定の印字フォーマットに変換され、通信インタフェース部１２を介してプリンタ１３に送信され、プリンタ１３により印刷用紙に印刷が行われる。
【００４９】
なお、通信インタフェースとしては汎用のＩＥＥＥ１３９４やＵＳＢなどを使用することが出来る。
【００５０】
図１０に印刷例（サムネール一覧と称す）を示す。
【００５１】
この例では、Ａ４用紙１枚に３０個のサムネール画像と、対応したショットＮＯ．がその上に、またそれぞれのテープ上の開始位置を示すタイムコードが対応したサムネール画像の下に印刷されている。例えばショットＮＯ．０１は００：００：００（単位は、分：秒：フレーム）で始まり、０４：５９：２９で終了、ショットＮＯ．０２は０５：００：００で始まり、０７：０５：２７で終了することを表わしている。
【００５２】
次に入力フォームの印刷過程とスキップ再生データの入力及びスキップ再生過程について述べる。
【００５３】
図１において、印刷処理部２４はショットＮＯ．を枠付きで、続けてその下に空欄枠を、ショットの順番に並べて印刷できるように印刷データを生成し、通信インタフェース１２を介してプリンタ１３に送信し、プリンタ１３は図１１に示すようなフォーマット（以下、入力フォームと称す）でプリント用紙に印刷する。
【００５４】
ユーザーはこの印刷結果の入力フォームと前記のサムネール一覧を照合し、スキップ再生にあたってカットしたいショットや残したいショットの順番を直感的に判断することが出来る。その結果、例えばショットＮＯ．０３をカットし、ショットＮＯ．０１、０２、０５、０４の順番に編集したいものとすると、図１２のようにショットＮＯ．０３の空欄は未記入のままとし、ショットＮＯ．０１の空欄に“０１”、ショットＮＯ．０２の空欄に“０２”、ショットＮＯ．０５の空欄に“０３”、ショットＮＯ．０４の空欄に“０４”を、それぞれ手書きで記入する。
【００５５】
次にユーザーは、記入済みの入力フォーム全体がほぼフル画面となるようにズーム機構を操作してカムコーダの静止画撮影機能を用いて静止画撮影を行う。
【００５６】
撮影が終了すると、取り込まれだ静止画像としての入力フォームはバッファメモリ８に蓄積される。
【００５７】
ユーザーが入力部の“スキップ再生”ボタン７７を押下すると、主制御部２の編集処理部２６が起動される。スキップ再生処理部２８は図１３に示すような機能で構成されており、スキップ再生データ入力部２８１により入力フォームの静止画データをバッファメモリ８から認識処理部２７に送信すると、一旦処理を認識処理部２７に引き継ぐ。
【００５８】
認識処理部２７は図１４に示す機能で構成されている。
【００５９】
まず、二値化部２７１にて二値化が行われ、続いて図形抽出部２７２にて図１２におけるショットＮＯ．枠（奇数行目）と、編集順序指定枠（偶数行目）とが抽出される。これらの枠は予め形状とサイズが決まっているので認識は容易である。
【００６０】
次に、数字切り出し部２７３により上記の各枠内の数字の切り出しが行われる。これも予めサイズと桁数が決まっているので切り出しは容易である。
【００６１】
切り出された数字は数字認識部２７４にて、不図示の特徴抽出や、いくつかの候補との比較が行われ、最後に前後関係などから認識決定部２７５により認識数字が決定される。
【００６２】
なお、上記において数字はビデオカメラの解像度に対して十分大きいサイズで記述されているので高精度で検出することが可能であり、公知の技術を用いて上記の数字認識が可能である。
【００６３】
以上の結果、ショットＮＯ．と、ショットＮＯ．から図８のテーブルを参照して得られたタイムコード情報と、スキップ再生順序とが認識されると、処理は再び主制御部２のスキップ再生処理部２８に引き渡される。
【００６４】
スキップ再生処理部２８では、スキップ再生テーブル生成部２８２によりスキップ再生手順を示すスキップ再生テーブルが生成される。
【００６５】
即ち、図１５に示すように、選択ショット情報領域に選択されたショット番号が指定された順番に（０１−０２−０５−０４−２１−２２）、また、選択総ショット数領域に選択された総ショット数“６”が、システム上の所定の領域、例えば内蔵フラッシュメモリ１１上の所定領域に追記されて行く。
【００６６】
続いてスキップ再生制御部２８３が、作成されたスキップ再生テーブルを用いてシステム制御部２１のドライブ制御部２０１、信号処理制御部２０２と連携して実際に画像データのスキップ再生を遂行する。
【００６７】
次にその詳細を図１６のフローチャートを用いて説明する。
【００６８】
まず図１５を参照して、選択された総ショット数“６”が再生ショットカウンタ２０６（システム制御部２１内にある）にセットされ、また、選択された最初のショット“０１”を再生すべく、図８を参照してショット“０１”の開始タイムコード“００：００：００”がＴｓｔレジスタ２０７に、終了タイムコード“０４：５９：２９”がＴｅｎｄレジスタ２０８（レジスタはいずれもシステム制御部２１内にある）に、それぞれセットされる。
【００６９】
次に、システム制御部２１のドライブ制御部２０１はドライブユニット１を制御して磁気テープ３の駆動を開始し、タイムコード検出部２０９（システム制御部２１内にある）にてサブコード領域に記録されている現在のタイムコード（Ｔｃｕｒ）を検出する。
【００７０】
ＴｃｕｒとＴｓｔが比較され、ドライブ制御部２０１はＴｃｕｒ＞ＴｓｔであればＦａｓｔ　Ｒｅｖｅｒｓｅ（高速巻き戻し）で、Ｔｃｕｒ＜ＴｓｔであればＦａｓｔ　Ｆｏｒｗａｒｄ（高速送り）で、Ｔｃｕｒ＝Ｔｓｔとなるまでテープ３を駆動する。
【００７１】
Ｔｃｕｒ＝Ｔｓｔになるとカムコーダを再生モードにし、Ｔｃｕｒ＝Ｔｅｎｄになるまで再生を続ける。
【００７２】
Ｔｃｕｒ＝Ｔｅｎｄになると、カムコーダを一旦停止し、再生ショットカウンタ２０６を一つデクリメントし、二番目の選択ショット“０２”を再生すべく、図８を参照してショット“０２”　の開始タイムコード“０５：００：００”がレジスタＴｓｔに、終了タイムコード“０７：０５：２７”がレジスタＴｅｎｄに、それぞれセットされ、上記と同様にしてショット“０２”が再生される。
【００７３】
同様の動作を繰り返し、再生ショットカウンタ２０６が０になるまで、即ちショット“２２”のタイムコードＴｅｎｄまで（総ショット数は“６”）再生すると、スキップ再生は終了する。
【００７４】
なお、スキップ再生テーブルは不揮発性のフラッシュメモリに保存されるため、一度電源を切った後再投入してからも、繰り返しスキップ再生をすることが可能であり、また一つの素材に対して複数の再生テーブルを作成しておき、好みの再生テーブルを選択してスキップ再生するようにすることももちろん可能である。
【００７５】
本実施形態においては、印刷されたサムネール一覧と入力フォームを見比べ、入力フォームの空欄に単にスキップ再生順序を手書きで記入するだけ、という極めて簡単かつ直感的な操作で指示を行い、これを静止画撮影するだけで自動的にスキップ再生が行われるため、一般のユーザーでも極めて手軽にビデオ編集を行うことが可能である。
【００７６】
また、カムコーダとプリンタだけで操作が行えるため、従来のようなＰＣを使うわずらわしさからユーザーを解放することが可能となる。
【００７７】
（第２の実施形態）
図１７は本発明の第２の実施形態に係わるディジタルカムコーダの構成を示すブロック図である。第１の実施形態と共通する部分には同じ番号を付与している。
【００７８】
ブロック構成としてはＤＶＤレコーダ１７を制御するための外部機器制御部２９と通信インタフェース部１６が新たに導入されている。通信インタフェース１６は、例えば標準化されているＩＥＥＥ１３９４を使用してＡＶ／Ｃコマンドプロトコルを利用してＤＶＤレコーダ１７を制御する。
【００７９】
また、入力フォームの認識までの過程は第１の実施形態と同じであるため、第１の実施形態と異なる動作、即ちスキップ再生とＤＶＤレコーダの連携制御について図１８のフローチャートを用いて説明する。
【００８０】
まず図１５を参照して、選択された総ショット数“６”が再生ショットカウンタ２０６（システム制御部２１内にある）にセットされ、また、選択された最初のショット“０１”を再生すべく、図８を参照してショット“０１”の開始タイムコード“００：００：００”がＴｓｔレジスタ２０７に、終了タイムコード“０４：５９：２９”がＴｅｎｄレジスタ２０８（レジスタはいずれもシステム制御部２１内にある）に、それぞれセットされる。
【００８１】
次に、システム制御部２１のドライブ制御部２０１はドライブユニット１を制御して磁気テープ３の駆動を開始し、タイムコード検出部２０９（システム制御部２１内にある）にてサブコード領域に記録されている現在のタイムコード（Ｔｃｕｒ）を検出する。
【００８２】
ＴｃｕｒとＴｓｔが比較され、ドライブ制御部２０１はＴｃｕｒ＞ＴｓｔであればＦａｓｔ　Ｒｅｖｅｒｓｅ（高速巻き戻し）で、Ｔｃｕｒ＜ＴｓｔであればＦａｓｔ　Ｆｏｒｗａｒｄ（高速送り）で、Ｔｃｕｒ＝Ｔｓｔとなるまでテープ３を駆動する。
【００８３】
Ｔｃｕｒ＝Ｔｓｔになるとスキップ再生処理部２８はカムコーダを一旦停止し、外部機器制御部２９はＤＶＤレコーダ１７にＡＶ／Ｃコマンドの“ＲＥＣ”コマンドを送出する。ＤＶＤレコーダ１７で記録の準備が整ったことを確認すると、スキップ再生処理部２８はＴｃｕｒ＝Ｔｅｎｄになるまでショット“０１”の再生を続けると同時にＤＶＤレコーダ１７に記録される。
【００８４】
Ｔｃｕｒ＝Ｔｅｎｄになると、スキップ再生処理部２８はカムコーダを一旦停止し、外部機器制御部２９がＤＶＤレコーダ１７に“ＰＡＵＳＥ”コマンドを送出して一時停止させた後、再生ショットカウンタ２０６を一つデクリメントし、二番目の選択ショット“０２”を再生すべく、図８を参照してショット“０２”　の開始タイムコード“０５：００：００”がＴｓｔレジスタ２０７に、終了タイムコード“０７：０５：２７”がＴｅｎｄレジスタ２０８に、それぞれセットされ、上記と同様にしてショット“０２”が再生されるとともに、ＤＶＤレコーダ１７に記録される。
【００８５】
同様の動作を繰り返し、再生ショットカウンタ２０６が０になるまで、即ちショット“２２”のタイムコードＴｅｎｄまで（総ショット数は“６”）再生するとともに、ＤＶＤレコーダ１７に記録されて終了する。
【００８６】
本実施形態においては、印刷されたサムネール一覧と入力フォームを見比べ、入力フォームの空欄に単にスキップ再生順序を手書きで記入するだけ、という極めて簡単かつ直感的な操作で指示を行い、これを静止画撮影するだけで自動的にディスク型動画レコーダと連携して、操作が極めて簡単なビデオ編集が行えるため、一般のユーザーでも極めて手軽にビデオ編集を行うことが可能である。
【００８７】
なお、上記実施形態ではサムネール一覧の中に、サムネール画像と共に、ショットＮＯ．とタイムコードの両方を印字しているが、いずれか一方でも十分であることは上記の説明から明白である。
【００８８】
また、サムネール一覧と入力フォームを別々に印刷したが、入力フォームにサムネール画像も付加して印刷して１枚に収めても良い。
【００８９】
また、代表静止画として先頭フレームを用いたが、必ずしも先頭である必要はなく、画像認識手段を用いて検出した、ショットの中間の画像であっても良い。
【００９０】
また、記録媒体上の開始位置または開始時間を表わす情報としてタイムコードを用いたが、その他の情報、例えば実時間（時計）であってもよい。
【００９１】
また、数字認識を容易にするためにショットＮＯ．を枠付きで印刷したが、認識側で工夫することによりこれを省くことも可能である。
【００９２】
以上詳述したように、上記の実施形態によれば、録画開始から録画終了までの期間の動画（ショット）の内容を代表して表わす静止画（代表静止画）のサムネール画像と、各ショットの撮影順序を示す情報（ショット番号）と、各ショットの記録媒体上の開始位置または開始時間を表わす情報から成るインデックス情報を記録する記録手段と、少なくとも各ショットの代表静止画のサムネール画像とその近傍に配置された対応ショット番号から成る第１のフォーマットと、少なくとも各ショット番号と、所定の枠とを含む第２のフォーマットの、２つのフォーマット、または、該第２のフォーマットに各ショットの代表静止画のサムネール画像が付加されて成る第３のフォーマットにより、プリンタに印刷する印刷手段とを有し、第２又は第３のフォーマットで印刷された用紙上の所定の枠内に、指定した順序に従って再生（スキップ再生）するための順序情報を記入し（入力フォーム）、該入力フォームを自身（の画像記録再生装置）で撮影し、文字認識手段により認識された前記の順序情報に基づいて、通常再生機能と高速テープ搬送機能（早送り、早戻し等）を併用してスキップ再生することによって、テープ型媒体を用いたカムコーダに対して再生特のアクセス性を大幅に改善することが可能となる。
【００９３】
また、通常再生機能と高速テープ搬送機能（早送り、早戻し等）に連動して外部記録装置を制御する手段を有し、通常再生部分の動画像を外部記録装置に記録することによって、アクセス性の悪いテープ型媒体を用いたカムコーダに対して、ＰＣを必要とすることなく操作の極めて簡単で直感的なビデオ編集方法を提供することが可能となる。
【００９４】
【他の実施形態】
本発明は、複数の機器から構成されるシステムに適用しても良いし、また、単体の機器から成る装置に適用しても良いしＬＡＮなどのネットワークを介して処理が行われるシステムに適用しても良い。
【００９５】
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００９６】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００９７】
本発明を上記記憶媒体に適用する場合、その記憶媒体には、先に説明した手順に対応するプログラムコードが格納されることになる。
【００９８】
【発明の効果】
以上説明したように、本発明によれば、テープ型媒体を用いたカムコーダにおいて再生特のアクセス性を改善することが可能となる。
【００９９】
また、テープ型媒体を用いたカムコーダおいて、ＰＣを必要とすることなく極めて簡単で直感的な操作でビデオ編集をできるようにすることが可能となる。
【図面の簡単な説明】
【図１】第１の実施形態のカムコーダのブロック図である。
【図２】主制御部のブロック図である。
【図３】主制御部の中のシステム制御部の構成図である。
【図４】主制御部の中の動画制御部の構成図である。
【図５】主制御部の中の静止画制御部の構成図である。
【図６】撮像系処理回路のブロック図である。
【図７】空間フィルタの特性を示す図である。
【図８】フラッシュメモリの記録領域の模式図である。
【図９】主制御部の中の印刷処理部の構成図である。
【図１０】サムネール画像（インデックスプリント）の印刷例を示す図である。
【図１１】入力フォームの印刷例を示す図である。
【図１２】入力フォームの記入例を示す図である。
【図１３】スキップ再生処理部の構成図である。
【図１４】主制御部の認識処理部の構成図である。
【図１５】フラッシュメモリのスキップ再生テーブル領域の模式図である。
【図１６】スキップ再生のフローチャートである。
【図１７】第２の実施形態のカムコーダのブロック図である。
【図１８】外部機器との連携編集のフローチャートである。
【図１】
2004140603.tif 000003
【図２】
2004140603.tif 000004
【図３】
2004140603.tif 000005
【図４】
2004140603.tif 000006
【図５】
2004140603.tif 000007
【図６】
2004140603.tif 000008
【図７】
2004140603.tif 000009
【図８】
2004140603.tif 000010
【図９】
2004140603.tif 000011
【図１０】
2004140603.tif 000012
【図１１】
2004140603.tif 000013
【図１２】
2004140603.tif 000014
【図１３】
2004140603.tif 000015
【図１４】
2004140603.tif 000016
【図１５】
2004140603.tif 000017
【図１６】
2004140603.tif 000018
【図１７】
2004140603.tif 000019
【図１８】
2004140603.tif 000020